(57)【要約】【課題】バーナによる五徳の爪炙りを防止し、良好な火移り性を確保することができるガスコンロを提供する。【解決手段】ガスコンロ１において、バーナ４は、混合室４１ｂを有するバーナボディ４１とバーナヘッド４２とを備え、バーナヘッド４２は、上板４２ａと、その下面外周部に設けられ、バーナボディ４１に着座させて炎孔４５を形成する筒状壁４２ｂとを備える。筒状壁４２ｂの五徳爪３１に対応する位置を除く領域には、第１の炎孔４５ａが設けられ、バーナボディ４１の五徳爪３１ｂに対応する位置には、混合室４１ｂ内の混合ガスを筒状壁４２ｂの下面に沿って径方向外方に案内する案内面４１ｄと、案内された混合ガスを筒状壁４２ｂの外周面に沿って上向きに案内する案内壁４１ｅとが設けられ、筒状壁４２ｂの五徳爪３１ｂに対応する位置には、案内壁４１ｅの上端との間隙により上向きに開口する第２の炎孔４５ｂが設けられる。【選択図】  図１
2010048521.tif 000002
【特許請求の範囲】
【請求項１】
バーナと、バーナ上方にバーナから離間してバーナを囲むように配設された複数の五徳爪を有する五徳とを備え、
バーナは、燃料ガスと空気とを混合し混合ガスを生成する混合室を有するバーナボディと、バーナボディ上に着座するバーナヘッドとを備え、
バーナヘッドは、上板と、上板の下面外周部に設けられ、バーナボディに着座させることにより炎孔を形成する筒状壁とを備えるガスコンロにおいて、
筒状壁の、五徳爪に対応する位置を除く領域には、第１の炎孔が周方向の間隔を存して多数設けられ、
バーナボディの、五徳爪に対応する位置には、混合室内の混合ガスを筒状壁の下面に沿って径方向外方に向けて案内する案内面と、案内面に連設され、案内面により案内された混合ガスを筒状壁の外周面に沿って上向きに案内する案内壁とが設けられ、
筒状壁の、五徳爪に対応する位置には、案内壁の上端との間隙により上向きに開口する第２の炎孔が設けられることを特徴とするガスコンロ。
【請求項２】
前記バーナヘッドは、第２の炎孔の直上位置に対向する覆部を備えることを特徴とする請求項１記載のガスコンロ。
【請求項３】
前記覆部の外側端には、下方に突出する突出部が設けられていることを特徴とする請求項２記載のガスコンロ。
【請求項４】
前記バーナボディの案内面及び案内壁は、バーナボディの前記五徳爪に対応する位置の上面内周部を凹入させることにより形成されていることを特徴とする請求項１乃至請求項３のいずれか１項に記載のガスコンロ。
【請求項５】
前記バーナボディの案内壁は、前記五徳爪に対応する位置に設けられ、前記筒状壁に対向してバーナボディの上面から突出する突起部により形成されていることを特徴とする請求項１乃至請求項３のいずれか１項に記載のガスコンロ。
【発明の詳細な説明】
【技術分野】
【０００１】
本発明は、バーナと五徳とを備えるガスコンロに関する。
【背景技術】
【０００２】
ガスコンロに設けられるバーナは、一般に、バーナボディとバーナヘッドとで構成されている。バーナボディは、燃料ガスと一次空気とを混合して混合ガスを生成する混合室を備え、この混合室の上部にバーナヘッドが設けられている。バーナヘッドは、混合室の外周壁上に当接する筒状壁を備え、この筒状壁には横向きに開口する多数の炎孔が形成されている。バーナは、この多数の炎孔から混合ガスを横向きに噴出し、火炎を形成する。
【０００３】
また、この種のガスコンロでは、鍋等の被加熱物を載置するための五徳が設けられている。五徳は、バーナに向かって延設され、被加熱物が載置される複数の五徳爪を備える。ところが、この五徳爪にバーナからの火炎が当たる（以下、爪炙りという）と、燃焼性能が悪化するという問題がある。
【０００４】
そこで、従来、五徳爪に対応する位置で形成される火炎を小さくして、バーナによる五徳の爪炙りを防止するガスコンロが知られている（例えば、特許文献１参照）。このコンロは、五徳爪に対応する位置に設けられている炎孔を、他の炎孔よりも小孔に形成してガス噴出量を制限することにより、形成される火炎を小さくするものである。
【０００５】
しかしながら、このガスコンロによれば、小火で火移りする際に、五徳爪に対応する位置に設けられている炎孔の火炎が比較的小さいために火移り性が悪化する。そこで、この炎孔を、火移りが可能な程度の大きさに形成してガス噴出量を増大させると、強火の際に爪炙りを避けられない。また、近年、燃焼効率を向上させるために、バーナと被加熱物が載置される五徳爪との距離が近くなっており、爪炙りがさらに発生しやすくなっている。
【特許文献１】特開平１−１３９９１０号公報
【発明の開示】
【発明が解決しようとする課題】
【０００６】
本発明は、以上の点に鑑み、バーナによる五徳の爪炙りを防止するとともに、良好な火移り性を確保することができるガスコンロを提供することを目的とする。
【課題を解決するための手段】
【０００７】
かかる目的を達成するために、本発明は、バーナと、バーナ上方にバーナから離間してバーナを囲むように配設された複数の五徳爪を有する五徳とを備え、バーナは、燃料ガスと空気とを混合し混合ガスを生成する混合室を有するバーナボディと、バーナボディ上に着座するバーナヘッドとを備え、バーナヘッドは、上板と、上板の下面外周部に設けられ、バーナボディに着座させることにより炎孔を形成する筒状壁とを備えるガスコンロにおいて、筒状壁の、五徳爪に対応する位置を除く領域には、第１の炎孔が周方向の間隔を存して多数設けられ、バーナボディの、五徳爪に対応する位置には、混合室内の混合ガスを筒状壁の下面に沿って径方向外方に向けて案内する案内面と、案内面に連設され、案内面により案内された混合ガスを筒状壁の外周面に沿って上向きに案内する案内壁とが設けられ、筒状壁の、五徳爪に対応する位置には、案内壁の上端との間隙により上向きに開口する第２の炎孔が設けられることを特徴とする。
【０００８】
本発明のガスコンロによれば、筒状壁の五徳爪に対応する位置を除く領域に設けられる第１の炎孔において、混合ガスが外径方向に噴出され、火炎がバーナヘッドから外径方向に向けて形成されて、良好な燃焼性能を確保することができる。
【０００９】
一方、バーナボディの五徳爪に対応する位置に設けられる第２の炎孔は、筒状壁と案内壁との間隙により上向きに開口する。これにより、第２の炎孔において、混合ガスが上向きに噴出され、火炎が筒状壁に沿うようにしてバーナヘッドの直近に上向きに形成されることとなり、第２の炎孔で形成される火炎と五徳爪との距離を大きくすることができ、強火であっても、第２の炎孔で形成される火炎が五徳爪に当たることを防止することができる。
【００１０】
したがって、本発明のガスコンロによれば、炎孔からのガス噴出量を極端に制限することなく、バーナによる五徳の爪炙りを防止することができ、これにより燃焼性能を向上することができる。また、本発明のガスコンロによれば、炎孔からのガス噴出量を極端に制限する必要がないので、五徳爪に対応する位置に設けられている炎孔を小孔に形成した従来のガスコンロと比較して、良好な火移り性を確保することができる。
【００１１】
ところで、本発明のガスコンロでは、被加熱物からの煮こぼれ汁が、バーナヘッドの上板に付着し、筒状壁を伝って滴下して、上向きに開口する第２の炎孔を閉塞する虞がある。そこで、本発明のガスコンロは、前記バーナヘッドが、第２の炎孔の直上位置に対向する覆部を備えることが好ましい。覆部を備える本発明のガスコンロによれば、第２の炎孔は覆部により覆われているので、第２の炎孔に煮こぼれ汁が滴下することがなく、この結果、第２の炎孔が閉塞されることを防止することを防ぐことができる。
【００１２】
また、前記覆部の外側端には、下方に突出する突出部が設けられていることがさらに好ましい。突出部が設けられている本発明のガスコンロによれば、第２の炎孔に煮こぼれ汁が滴下することを確実に防ぐことができる。
【００１３】
本発明のガスコンロでは、例えば、前記バーナボディの案内面及び案内壁は、バーナボディの前記五徳爪に対応する位置の上面内周部を凹入させることにより形成されるものであってもよく、或いは、例えば、前記バーナボディの案内壁は、前記五徳爪に対応する位置に設けられ、前記筒状壁に対向してバーナボディの上面から突出する突起部により形成されるものであってもよい。
【発明を実施するための最良の形態】
【００１４】
図１を参照して、１は本実施形態のガスコンロを示している。ガスコンロ１は、セラミックスガラス等のガラス製の平板又はアルミニウム等の金属製の平板で構成された天板２と、天板２上に設けられ、加熱される鍋等の被加熱物（図示せず）が載置される五徳３と、天板２に開設されたバーナ用開口２ａを通して天板２の上方に突出し、被加熱物を加熱するバーナ４とを備える。
【００１５】
天板２には、バーナ用開口２ａの周縁とバーナ４の外周面との間の隙間を閉塞し、この隙間から煮こぼれ汁が天板２の下方に落下することを防止する環状のバーナリング２１が設けられている。
【００１６】
五徳３は、バーナ４上方にバーナ４から離間してバーナ４を囲むように配設され、前記被加熱物が載置される複数の五徳爪３１と、各五徳爪３１を連結する五徳枠３２とで構成される。本実施形態では、五徳３は、放射状に配置された６本の五徳爪３１を備える。
【００１７】
バーナ４は、天板２の下方に配置された混合管４１ａの下流端部から上方に延び、バーナ用開口２ａを通して天板２の上方に突出する内外二重筒構造のバーナボディ４１と、バーナボディ４１に着座するバーナヘッド４２とで構成されている。バーナ４の外側には、６本の五徳爪３１のうちの１本の五徳爪３１ａに対応する位置に、バーナ４から噴出される混合ガスに着火する点火プラグ４３が設けられている。バーナ４の内側には、バーナヘッド４２から上方に突出して上下方向に伸縮自在に構成され、前記被加熱物の底面の温度を検知する温度センサ４４が設けられている。
【００１８】
図２に示すバーナボディ４１は、内部が、燃料ガスと空気とを混合して混合ガスを生成する混合室４１ｂとなっている。
【００１９】
図３に示すバーナヘッド４２は、混合室４１ｂの上部の開口を閉塞する上板４２ａと、上板４２ａの下面外周部に設けられ、バーナボディ４１に着座させることにより多数の炎孔４５を形成する筒状壁４２ｂとを備える。
【００２０】
筒状壁４２ｂの、五徳爪３１に対応する位置を除く領域には、周方向の間隔を存して多数の歯型４２ｃが垂設されており、バーナ４の上端外周部にこれら歯型４２ｃ間の隙間で構成される第１の炎孔４５ａが多数設けられている。第１の炎孔４５ａは、上下方向に長手に形成されていて、斜め上向きに開口している。
【００２１】
また、バーナボディ４１の、点火プラグ４３が設けられた１本の五徳爪３１ａを除いた５本の五徳爪３１ｂに対応する位置には、図１に示すように、上面内周部を凹入させた凹部４１ｃが設けられている。この凹部４１ｃは、混合室４１ｂ内の混合ガスを筒状壁４２ｂの下面に沿って径方向外方に向けて案内する案内面４１ｄと、案内面４１ｄに連設され、案内面４１ｄにより案内された混合ガスを筒状壁４２ｂの外周面に沿って上向きに案内する案内壁４１ｅとを構成している。案内面４１ｄは、筒状壁４２ｂの下面との間に例えば０．５ｍｍの隙間ｄを存して設けられている。
【００２２】
そして、筒状壁４２ｂの、五徳爪３１ｂに対応する位置には、筒状壁４２ｂの外周面よりも内径側に垂設壁４２ｄが設けられ、垂設壁４２ｄと案内壁４１ｅの上端との間隙により上向きに開口する第２の炎孔４５ｂが設けられている。
【００２３】
さらに、バーナヘッド４２は、上板４２ａの外周部に、第２の炎孔４５ｂの直上位置に対向する覆部４２ｅを備える。覆部４２ｅは、筒状壁４２ｂよりも径方向外方に延設されていて、その外側端には下方に突出する突出部４２ｆが設けられている。
【００２４】
次に、図１に示す本実施形態のガスコンロ１の作動について説明する。ガスコンロ１において、バーナ４は、混合室４１ｂで燃料ガスと空気とを混合して混合ガスを生成し、第１の炎孔４５ａ及び第２の炎孔４５ｂから混合ガスを噴出し、噴出した混合ガスが点火プラグ４３により着火されて火炎を形成する。
【００２５】
このとき、筒状壁４２ｂの五徳爪３１に対応する位置を除く領域に設けられる第１の炎孔４５ａは、多数の歯型４２ｃ間の隙間により斜め上向きに開口して形成されていることにより、混合ガスを外径方向に噴出する。この結果、第１の炎孔４５ａにおいて、火炎は、歯型４２ｃに沿うようにしてバーナヘッド４２から外径方向に向けて形成されることとなり、良好な燃焼性能を確保することができる。
【００２６】
一方、筒状壁４２ｂの五徳爪３１ｂに対応する位置に設けられる第２の炎孔４５ｂは、垂設壁４２ｄと案内壁４１ｅとの間隙により上向きに開口して形成されていることにより、混合ガスを上向きに噴出する。この結果、第２の炎孔４５ｂにおいて、火炎Ｆは、垂設壁４２ｄに沿うようにしてバーナヘッド４２の直近に上向きに形成されることとなり、第２の炎孔４５ｂで形成される火炎Ｆと五徳爪３１ｂとの距離を大きくすることができ、強火であっても、第２の炎孔４５ｂで形成される火炎Ｆが五徳爪３１ｂに当たることを防止することができる。
【００２７】
したがって、本実施形態のガスコンロ１によれば、五徳爪３１ｂに対応する位置に設けられる第２の炎孔４５ｂからのガス噴出量を極端に制限することなく、バーナ４による五徳３の爪炙りを防止することができ、これにより燃焼性能を向上することができる。また、本実施形態のガスコンロ１によれば、第２の炎孔４５ｂからのガス噴出量を極端に制限する必要がないので、五徳爪に対応する位置に設けられている炎孔を小孔に形成した従来のガスコンロと比較して、良好な火移り性を確保することができる。
【００２８】
また、本実施形態のガスコンロ１において、バーナヘッド４２は、第２の炎孔４５ｂが覆部４２ｅにより覆われていて、覆部４２ｅの外側端には、下方に突出する突出部４２ｆが設けられている。このように構成されていることにより、被加熱物からの煮こぼれ汁が上板４２ａに付着した場合であっても、煮こぼれ汁は上板４２ａから覆部４２ｅ及び突出部４２ｆを伝って、第２の炎孔４５ｂから離間する位置に滴下することとなるので、第２の炎孔４５ｂが煮こぼれ汁により閉塞されることを防止することができる。
【００２９】
本実施形態のガスコンロ１では、覆部４２ｅは、筒状壁４２ｂよりも径方向外方に延設されたものであるが、筒状壁４２ｂの外周部を凹入させたものであってもよい。
【００３０】
ところで、本実施形態のガスコンロ１においては、案内面４１ｄと案内壁４１ｅとの間から第２の炎孔４５ｂにかけて、比較的周方向に長手に形成されていることから、案内面４１ｄと案内壁４１ｅとの間の混合ガスの流れに偏りが生じやすく、火炎Ｆが第２の炎孔４５ｂの全長に亘って均一とならないことがある。そこで、第２の炎孔４５ｂに、噴出する混合ガスを整流する機能を持たせることが考えられる。例えば、図４に示すバーナボディ４１のように、案内面４１ｄ及び案内壁４１ｅの連設部に、案内壁４１ｅに対して直交する複数の立設部４１ｆを形成することにしてもよい。これによれば、立設部４１ｆが案内面４１ｄと案内壁４１ｅとの間で混合ガスを整流して第２の炎孔４５ｂに送り出すので、第２の炎孔４５ｂからの火炎Ｆを偏りなく均一に形成することができる。
【００３１】
また、第２の炎孔４５ｂに、噴出する混合ガスを整流する機能を持たせるとともに、図３に示すバーナヘッド４２の形状を簡素化するために、図５に示すバーナボディ４１のように、バーナボディ４１の案内面４１ｄに、案内壁４１ｅに対して直交するように垂設された複数の歯型４１ｇを形成するとともに、図６に示すバーナヘッド４２のように、図３に示す垂設壁４２ｄを廃止するようにしてもよい。
【００３２】
さらに、本実施形態のガスコンロ１のバーナ４は、図１に示すように、バーナボディ４１の、五徳爪３１ｂに対応する位置に、上面内周部を凹入させた凹部４１ｃを設けることにより、案内面４１ｄと案内壁４１ｅを形成したものであるが、凹部４１を設ける代わりに、図７，８に示すように、バーナボディ４１の上面外周部に、筒状壁４２ｂの壁４２ｄに対向して突出する突起部４１ｈを設けてもよい。突起部４１ｈを設けることにより、バーナボディ４１の上面からなる案内面４１ｄと突起部４１ｈの内周面からなる案内壁４１ｅとを容易に形成することができる。
【００３３】
なお、本実施例のガスコンロ１では、五徳３は６本の五徳爪３１を備えるとしたが、６本でなくてもよい。また、点火プラグ４３が五徳爪３１に対応する位置に設けられるとしたが、点火プラグ４３が五徳爪３１に対応しない位置に設けられている場合には、全ての五徳爪３１についてそれぞれ対応する位置に第２の炎孔４５ｂを設けることができる。
【図面の簡単な説明】
【００３４】
【図１】本発明の実施形態のガスコンロの一構成例を示す説明的断面正面図。
【図２】図１に示すガスコンロに係るバーナボディを示す平面図。
【図３】図１に示すガスコンロに係るバーナヘッドを示す底面図。
【図４】本実施形態のガスコンロに係るバーナの第１変形例におけるバーナボディを示す平面図。
【図５】本実施形態のガスコンロに係るバーナの第２変形例におけるバーナボディを示す平面図。
【図６】本実施形態のガスコンロに係るバーナの第２変形例におけるバーナヘッドを示す底面図。
【図７】本発明の実施形態のガスコンロの変形例を示す説明的断面正面図。
【図８】図７に示すガスコンロに係るバーナボディを示す平面図。
【符号の説明】
【００３５】
１…ガスコンロ、  ３…五徳、  ３１，３１ｂ…五徳爪、  ４…バーナ、  ４１…バーナボディ、  ４１ｂ…混合室、  ４１ｄ…案内面、  ４１ｅ…案内壁、  ４１ｈ…突起部、  ４２…バーナヘッド、  ４２ａ…上板、  ４２ｂ…筒状壁、  ４２ｅ…覆部、  ４２ｆ…突出部、  ４５…炎孔、  ４５ａ…第１の炎孔、  ４５ｂ…第２の炎孔。
【図１】
2010048521.tif 000003
【図２】
2010048521.tif 000004
【図３】
2010048521.tif 000005
【図４】
2010048521.tif 000006
【図５】
2010048521.tif 000007
【図６】
2010048521.tif 000008
【図７】
2010048521.tif 000009
【図８】
2010048521.tif 000010